(57)【要約】【課題】両ハーネス間の信号の受け渡しを行う中継コネクタにおいて、中継コネクタの端子部を、形状記憶合金にして、通電中のハーネス外れを防止し、中継コネクタの下部に係止頭及びストッパー部を追加し、どこにでも固定できる中継コネクタを提供する。【解決手段】２つのハーネスの間に信号の受け渡しを行う中継コネクタにおいて、電流が流れて端子部の温度が上がると事前に記憶された形状に変化することによりハーネスの抜けを防止する機能を持つ形状記憶合金で作られた端子部を有する中継コネクタと、係止頭に対応した穴を用意することで任意の場所に中継コネクタを固定できる中継コネクタを固定するための係止頭及びストッパー部とからなることを特徴とする。【選択図】        図１
2004152553.tif 000002
【特許請求の範囲】
【請求項１】
２つのハーネスの間にセットすることにより、両ハーネス間の信号の受け渡しを行う中継コネクタにおいて、電流が流れて端子部の温度が上がると事前に記憶された形状に変化することによりハーネスの抜けを防止する機能を持つ形状記憶合金で作られた端子部を有する中継コネクタと、係止頭に対応した穴を用意することで任意の場所に中継コネクタを固定できる中継コネクタを固定するための係止頭及びストッパー部とからなることを特徴とする中継コネクタ。
【請求項２】
請求項１記載の中継コネクタにおいて、複数の前記中継コネクタが一体となった中継コネクタにより、複数の入出力ハーネスを一ヶ所の中継コネクタで中継する請求項１記載の構成からなることを特徴とする中継コネクタ。
【請求項３】
請求項１記載の中継コネクタにおいて、一方側のハーネスからの信号を対向側にセットした複数のハーネスに同じ信号を送るディジー接続機能を持つ構成からなることを特徴とする中継コネクタ。
【発明の詳細な説明】
【０００１】
【発明の属する技術分野】
本発明は、コネクタに関し、さらに詳しくは、固定可能でハーネス抜け防止機能を持つ電子機器に応用できる中継コネクタに関するものである。
【０００２】
【従来の技術】
本発明の従来技術として、特許文献１が存在する。特許文献１に開示されている技術においては、コネクタ取付板に中継コネクタを取り付け、その中継コネクタを介してコネクタ取付板の前側のコネクタと後側のコネクタを接続する電子機器のコネクタ接続部において、手前側の一方向から中継コネクタに対する後側コネクタの差込を容易として取付の作業性を向上させることが提案されている。
【０００３】
【特許文献１】
特開平８−７６５３７号公報
【０００４】
【発明が解決しようとする課題】
中継コネクタを固定して使用する時は、板金に中継コネクタが通れる程の穴を空け、中継コネクタを途中までその穴に通した時に中継コネクタ上の掛止爪部が板金にロックされて固定するというパネルマウント方式が一般的に使用されている。
【０００５】
しかしこの方式では中継コネクタを固定して使用できる場所が限定されるという問題がある。またこれとは別に中継コネクタにセットしたハーネスが何らかの要因により通電中に外れてしまい、機械が誤動作を起こしてしまうという問題もある。
【０００６】
そこで本発明は上記の問題点を解決するためになされたもので、中継コネクタの端子部を、電流が流れて温度が上がると形状が変化する形状記憶合金にして、端子部が形状変化した時に、その形状に対応したハーネス側の勘合部を用意することにより、通電中のハーネス外れを防止し、かつ中継コネクタの下部に係止頭及びストッパー部を追加し、中継コネクタを固定したい場所に係止頭に対応した穴を用意することで、どこにでも中継コネクタを固定できることにより、上記２点の問題点を同時に解決する中継コネクタを提供することを目的とする。
【０００７】
さらに、現状では同じ場所に複数の中継コネクタを固定できないという問題点があるのに対し、請求項１の構成に加えて複数の中継コネクタを一体型にすることにより、上記問題点を解決することを目的とする。
【０００８】
また、ディジー接続が出来る中継コネクタが無いという問題点に対して、請求項１の構成に加えてディジー接続機能を中継コネクタに追加することで、上記問題点を解決することを目的とする。
【０００９】
【課題を解決するための手段】
前記の課題を解決するために、請求項１記載の発明では、２つのハーネスの間にセットすることにより、両ハーネス間の信号の受け渡しを行う中継コネクタにおいて、電流が流れて端子部の温度が上がると事前に記憶された形状に変化することによりハーネスの抜けを防止する機能を持つ形状記憶合金で作られた端子部を有する中継コネクタと、係止頭に対応した穴を用意することで任意の場所に中継コネクタを固定できる中継コネクタを固定するための係止頭及びストッパー部とからなる中継コネクタを最も主要な特徴とする。
【００１０】
請求項２記載の発明では、請求項１記載の中継コネクタにおいて、複数の前記中継コネクタが一体となった中継コネクタにより、複数の入出力ハーネスを一ヶ所の中継コネクタで中継する請求項１記載の構成からなる中継コネクタを主要な特徴とする。
【００１１】
請求項３記載の発明では、請求項１記載の中継コネクタにおいて、一方側のハーネスからの信号を対向側にセットした複数のハーネスに同じ信号を送るディジー接続機能を持つ構成からなる中継コネクタを主要な特徴とする。
【００１２】
【発明の実施の形態】
以下、図面により本発明の実施の形態を詳細に説明する。図１は本発明における通電中にハーネスの抜けを防止する機能を持ちかつ固定可能な中継コネクタ１の一実施例を示すものであり、中継コネクタ１内に存在し、左コネクタ７と嵌合する左コネクタ嵌合部２、及び右コネクタ９と嵌合する右コネクタ嵌合部３、中継コネクタの下部の係止頭４、ストッパー部５からなる。また左コネクタ７は左ハーネス８の一部であり、同様に右コネクタ９は右ハーネス１０の一部である。
【００１３】
左コネクタ嵌合部２及び右コネクタ嵌合部３は中継コネクタ１内で導通しているため、左コネクタ７と左コネクタ嵌合部２及び右コネクタ９と右コネクタ嵌合部３を嵌合した時、左ハーネス８と右ハーネス１０は導通する。また中継コネクタ１の係止頭４を係止頭に対応した穴６にセットすると、係止頭４及びストッパー部５の間で固定される。
【００１４】
図２は右コネクタ嵌合部３の中の端子部５０のうちの１本を拡大したものである。端子部５０は材質が形状記憶合金からなり、電流が流れることにより熱が発生し、ある温度に達すると事前に記憶した形状に変化する特性を持つ。図２（ａ）の図は端子部５０に電流が流れていない時のものであり、形状は１本の棒である。一方図２（ｂ）は端子部５０に電流が流れた時のものであり、端子部５０の形状が事前に記憶された形状に変化し、突起部を形成する。
【００１５】
図３は図２の端子部５０が右コネクタ９に嵌合した時の断面図である。図３（ａ）は端子部５０に電流が流れていない時のものであり、この時には右コネクタ９と中継コネクタ１の抜き差しは可能である。一方図３（ｂ）は端子部５０に電流が流れた時のものであり、端子部５０の形状が変化し突起部を形成すると、右コネクタ９の突起部に対応した隙間部分に嵌合する。このため通電中は右コネクタ９は中継コネクタ１から外すことが出来なくなる。更にこの状態から電流を流すのを止めると、端子部５０の形状は再び１本の棒となり左の図の状態に戻りコネクタの抜き差しが可能となる。
【００１６】
本発明により、通電時のハーネス抜けを防止し、かつ係止頭に対応した穴を用意すれば、どこでも中継コネクタを固定することを可能とする。
【００１７】
図４は本発明における、複数のハーネスを一つの中継コネクタで接続でき、通電中にハーネスの抜けを防止する機能を持ちかつ固定可能な中継コネクタ１１の一実施例を示すものであり、中継コネクタ１１内に存在し、左上コネクタ１８と嵌合する左上コネクタ嵌合部１２、左下コネクタ１９と嵌合する左下コネクタ嵌合部１３、右上コネクタ２２と嵌合する右上コネクタ嵌合部１４、右下コネクタ２３と嵌合する右下コネクタ嵌合部１５、更に請求項１と同様に係止頭１６、ストッパー部１７からなる。またハーネス２０、２１、２４、２５はそれぞれコネクタ１８、１９、２２、２３に対応し、穴２６は係止頭１６に対応した穴である。
【００１８】
また図５は中継コネクタ１１の内部結線状態を示したもので、コネクタピン２７により左上コネクタ嵌合部１２と右上コネクタ嵌合部１４、及び左下コネクタ嵌合部１３と右下コネクタ嵌合部１５が導通状態になっている。中継コネクタ１１の固定手段及び通電中にハーネスの抜けを防止する機構は請求項１と同様である。また図５の内部結線状態により各コネクタを嵌合した時に、ハーネス２０とハーネス２４及びハーネス２１とハーネス２５がそれぞれ導通する。本発明により、請求項１の機能に加え、複数のハーネスを一つの中継コネクタで接続することを可能とする。
【００１９】
図６は本発明における、ディジー接続機能を持ち、通電中にハーネスの抜けを防止する機能を持ちかつ固定可能な中継コネクタ３０の一実施例を示すものであり、中継コネクタ３０内に存在し、左上コネクタ３６と嵌合する左上コネクタ嵌合部３１、左下コネクタ３７と嵌合する左下コネクタ嵌合部３２、右コネクタ４０と嵌合する右コネクタ嵌合部３３、更に請求項１と同様に係止頭３４、ストッパー部３５からなる。またハーネス３８、３９、４１はコネクタ３６、３７、４０に対応し、穴４２は係止頭３４に対応した穴である。
【００２０】
また、図７は中継コネクタ３０の内部結線状態を示したもので、コネクタピン４３により右コネクタ嵌合部３３からの信号が左上コネクタ嵌合部３１及び左下コネクタ嵌合部３２に導通する。中継コネクタ３０の固定手段及び通電中にハーネスの抜けを防止する機構は請求項１と同様である。また図７の内部結線状態により各コネクタを嵌合した時に、ハーネス４１の信号がハーネス３８及びハーネス３９に導通される。本発明により、請求項１の機能に加え、ディジー接続機能を持つ中継コネクタを実現することを可能とする。
【００２１】
【発明の効果】
以上説明したように、請求項１によれば、２つのハーネスの間にセットすることにより、両ハーネス間の信号の受け渡しを行う中継コネクタにおいて、電流が流れて端子部の温度が上がると事前に記憶された形状に変化することによりハーネスの抜けを防止する機能を持つ形状記憶合金で作られた端子部を有する中継コネクタと、係止頭に対応した穴を用意することで任意の場所に中継コネクタを固定できる中継コネクタを固定するための係止頭及びストッパー部とからなることを特徴とする中継コネクタにより、中継コネクタを固定したい場所に係止頭に対応した穴を用意するだけで、どこにでも中継コネクタを固定することができ、かつ通電中のハーネス抜けを防止できる。
【００２２】
請求項２によれば、請求項１記載の中継コネクタにおいて、複数の前記中継コネクタが一体となった中継コネクタにより、複数の入出力ハーネスを一ヶ所の中継コネクタで中継する請求項１記載の構成からなることを特徴とする中継コネクタにより、請求項１の効果に加えて、同じ場所に複数の中継コネクタを固定することが可能となる。
【００２３】
請求項３によれば、請求項１記載の中継コネクタにおいて、一方側のハーネスからの信号を対向側にセットした複数のハーネスに同じ信号を送るディジー接続機能を持つ構成からなることを特徴とする中継コネクタにより、請求項１の効果に加えて、中継コネクタでディジー接続を行うことが可能となる。
【図面の簡単な説明】
【図１】本発明の通電中ハーネス抜け防止機能を有する中継コネクタの斜視図である。
【図２】本発明のコネクタ嵌合部の形状記憶合金製端子部の変化の拡大説明図である。
【図３】本発明の形状記憶合金製端子部のコネクタとの嵌合時の断面図である。
【図４】本発明の複数ハーネスを１コネクタで接続できる中継コネクタの斜視図である。
【図５】本発明の中継コネクタの内部結線状態を示す斜視図である。
【図６】本発明のディジー接続機能を有する中継コネクタの斜視図である。
【図７】本発明のディジー接続機能を有する中継コネクタの内部結線の斜視図である。
【符号の説明】
１、１１、３０  中継コネクタ
２、３、１２、１３、１４、１５、３１、３２、３３  コネクタ嵌合部
４、１６、３４、４２  係止頭
５、３５、１７  ストッパー部
６、２６  穴
７、９、１８、１９、２２、２３、３６、３７、４０  コネクタ
８、１０、２０、２１、２４、２５、３８、３９、４１  ハーネス
２７、４３  コネクタピン
５０  端子部
【図１】
2004152553.tif 000003
【図２】
2004152553.tif 000004
【図３】
2004152553.tif 000005
【図４】
2004152553.tif 000006
【図５】
2004152553.tif 000007
【図６】
2004152553.tif 000008
【図７】
2004152553.tif 000009